(57)【要約】      （修正有）【課題】妊婦の体の冷えや、羞恥心、不快感を防止し、妊婦自身の自由な動作を可能とし、微弱陣痛、遷延分娩、といった分娩のリスクを防止できる分娩衣を提供する。【解決手段】分娩衣は、上下に分離された２ピースの形状を有し、上衣は前身ごろを打ち合わせにし、襟元と胸元の４か所のボタンで開閉可能とし、授乳や胎児心拍モニターの検査などで、胸部や腹部の露出を最小限におさえる。また袖部は、左右の襟元からそれぞれの袖口にかけてホックで開口でき、上衣の着脱が容易となる。下衣はスカートの形状でフロント正中ラインにファスナーを設け、下から上方向へと開くことで、急な分娩の着脱に対応できる。さらにフロントの裾部内側とバックの裾部内側の計４か所にホックを付け、留め合わせることでスカートにもパンツにも対応できる。また、肌への触感の快適性が良い綿１００％の生地を使用し胸部は見返しを広く取ることで透け感をなくした。【選択図】図２
0003221861.tif 000002
【実用新案登録請求の範囲】
【請求項１】
上衣と下衣に分離された２ピースの分娩衣であって、下衣は腹囲サイズが調整でき、フロントは前開きが可能で、さらにフロントの裾部内側とバックの裾部内側で接合できる構造となっていることを特徴とする分娩衣。
【請求項２】
上衣と下衣に分離された２ピースの分娩衣であって、上衣は前身ごろが打ち合わせ構造となっており、襟元と胸元の留具により分離している身ごろを結合させ、さらに袖部は襟元から袖口にかけて留具で開け閉めできる構造となっていることを特徴とする分娩衣。
【考案の詳細な説明】
【技術分野】
【０００１】本考案は、産科の分野において妊婦が出産するときに着用する分娩衣という衣類に関する。
【背景技術】
【０００２】従来型の分娩衣はワンピースタイプや浴衣タイプであり、２ピースタイプのものはこれまで無い。また、スカートとパンツの機能を兼ね備えた分娩衣も新しい。
【考案の概要】
【考案が解決しようとする課題】
【０００３】従来型の分娩衣はワンピースタイプや浴衣タイプであり、検査や診察のたびに妊婦の胸元や裾がはだけやすく不必要な肌の露出が多い。それにより妊婦の体の冷えや、羞恥心、不快感につながるだけでなく、妊婦自身の自由な動作の妨げにもなり得る。これらは微弱陣痛、遷延分娩、といった分娩のリスクにつながる可能性もあり、医療従事者にとって解決したい課題である。さらに、素材に関しても生地が薄くて乳首や下着が透けるといった妊婦の羞恥心や、素材によっては肌への触感が不快といった問題も併せて解決したい課題である。
【課題を解決するための手段】
【０００４】この課題を解決するため、上下に分離された２ピースの形状としたことが特徴である。
上衣は前身ごろを打ち合わせにし、襟元と胸元の４か所のボタンにて開閉可能とし、授乳や胎児心拍モニターの検査などで、妊婦の胸部や腹部の露出を最小限におさえることが可能である。また袖部は、左右の襟元からそれぞれの袖口にかけてホックにて開口できるようになっており、上衣の着脱が容易となる。下衣はスカートの形状でフロント正中ラインにファスナーを設け、下から上方向へと開くことができ、急な分娩の着脱対応に適している。
さらにフロントの裾部内側とバックの裾部内側の計４か所にホックを付け、それを留め合わせることでスカートにもパンツにも対応できる機能性を兼ね備えた構造となっている。
また、肌への触感の快適性や透け感の防止策として、綿１００％の生地を使用し胸部は見返しを広く取ることで透け感をなくした、ことを特徴とする。
【考案の効果】
【０００５】本考案により、妊婦が出産時に感じる羞恥心や体の冷え、動きづらさが軽減する。
一方、分娩介助する医療従事者にとっても、スムーズなケアの提供や分娩のリスクを回避する手段の一つとなる。【０００６】従来型の分娩衣は、妊婦の快適性や利便性においては不十分であり、本考案の分娩衣は、妊婦にとっても医療従事者にとっても利便性を追求したものである。
（図１、図２）に示す通り、上下２ピース型の分娩衣にしたことで、不必要な肌の露出が抑えられ、妊婦の羞恥心や冷えは軽減する。例として（図３）に示す胎児心拍モニターや、腹部超音波検査の時には、局部のみ開放すればよく、下半身の露出は回避できる。逆に分娩時や内診時には上半身の露出を回避できるといった効果がある。【０００７】図１−（ａ）は上衣を表す。図１−（ａ）において、１は上衣の前身ごろを打ち合わせにし、２は襟元のボタンを固定することにより授乳時に胸部がはだけることなく、人目を気にせず安心して授乳ができる。さらに助産師による乳房ケア時も最小限の肌の露出でケアができるというメリットがある。襟元の留具は、ボタン，ホック，スナップ，面ファスナーのいずれでもよい。【０００８】図１−（ｂ）は上衣を表す。図１−（ｂ）において、３の前身ごろの見返し部を脇部からバストの下部まで広く取ることで、妊婦が肌着を着用していなくても乳首が透けないように配慮している。同時に、前身ごろの生地の重なりが広いことにより、保温効果も併せ持つ。【０００９】図１−（ａ）において、袖部の上部が襟元から袖口にかけて留具４にて開閉可能であり、手術後の臥床したままの更衣や点滴治療中の着脱、または着脱介助がスムーズに行える。
これは、点滴ルートの接続部である三方活栓を外す医療行為を省略できるため、逆血や感染のリスクが抑えられる。４の留具は、スナップ，テープスナップ，ホック，線ファスナー，面ファスナーのいずれでもよい。【００１０】図１−（ａ）において、５は着丈の寸法を示し、妊婦が下衣を脱いでも、四つ這いになっても臀部が見えない長めの丈にしているため、下位を脱いだ時にも安心感がある。【００１１】図２−（ａ）は下衣を表す。下衣は、スカートの形状であるため、分娩や内診への移行がスムーズであり、妊婦にも負担が少ない。さらに、フロント正中ラインにファスナー６を付け、下から上方向へ向かって開放する形式であるため、緊急時の時には迅速に脱がし処置ができるという機能性を持つ。ちなみに、ファスナーは点ファスナー、線ファスナー、面ファスナーのいずれでもよい。【００１２】図２−（ｂ）は下衣を表す。下衣は、スカートフロント正中の裏面の裾部とバック裏面の裾部それぞれ２か所にホックを付け、７ａと７ｂ、７ｃと７ｄの留具をそれぞれ留めることでスカートにもパンツにもなる構造となっている。それにより、普段はパンツにしてはだけないようにし、診察時はスカートにして内診しやすくするという機能性を持つ。【００１３】図２−（ｃ）は下衣を表す。図２−（ｃ）に示すように、ウエスト部分は妊娠週数に合わせた腹囲に調節ができるように８のボタンホールゴムを使用し、腹部の圧迫による苦痛を軽減する。
このボタンホールゴムには穴が複数個設けられており、腹囲に合わせてこのボタンホールの留め位置を替えることができる構造となっている。【００１４】分娩衣の素材は、肌への触感の快適性や透け感の防止策として、綿１００％の生地を使用するが、この素材は、合成繊維やその他の素材であってもよい。
【図面の簡単な説明】
【００１５】
【図１−ａ】分娩衣上衣の前から見た図である。
【図１−ｂ】分娩衣上衣の見返しを示した図である。
【図２−ａ】分娩衣下衣の前から見た図である。
【図２−ｂ】分娩衣下衣の裾部裏側の留具を示した図である。
【図２−ｃ】分娩衣下衣のフロント裏側にあるウエスト調節ゴムを示した図である。
【図３−ａ】従来の胎児心拍モニター中の写真。
【図３−ｂ】今回製作した分娩衣を着用した胎児心拍モニター中の写真。
【図４】点滴治療中の更衣介助の写真。
【図５】授乳中の写真。
【図６−ａ】内診時の写真（模擬）。
【図６−ｂ】分娩中の写真（模擬）。
【符号の説明】
【００１６】１…打ち合わせ部、２…留具、３…見返し部、４…留具、５…着丈、６…ファスナー、７ａ，７ｂ，７ｃ，７ｄ…留具、８…腹囲調節部（ボタンホールゴム）
【図１】
0003221861.tif 000003
【図２】
0003221861.tif 000004
【図３】
0003221861.tif 000005
【図４】
0003221861.tif 000006
【図５】
0003221861.tif 000007
【図６】
0003221861.tif 000008
【手続補正書】
【提出日】平成31年4月2日(2019.4.2)
【手続補正１】
【補正対象書類名】実用新案登録請求の範囲
【補正対象項目名】全文
【補正方法】変更
【補正の内容】
【実用新案登録請求の範囲】
【請求項１】
上衣と下衣に分離された２ピースの分娩衣であって、前記下衣はスカートの形状でフロント正中ラインにファスナーが設けられており、さらに下衣のフロントとバックを接合するため、スカートフロント裾部裏面とバック裾部裏面のそれぞれにホックが設けられており、ウエスト部分には腹囲サイズが調節できるボタンホールゴムが設けられていることを特徴とする分娩衣。
【請求項２】
前記上衣は、フロントが打ち合わせ構造となっており、上前身ごろと下前身ごろを接合する襟元と胸元にボタンが設けられており、さらに袖部は左右の襟元からそれぞれの袖口にかけての留具が設けられていることを特徴とする請求項１に記載の分娩衣。